(57)【特許請求の範囲】
【請求項１】
バーナと、該バーナに燃焼用空気を供給する給気通路と、該バーナの燃焼排気を排出する排気通路と、該給気通路と該排気通路に空気流を生じさせるファンと、前記バーナの目標燃焼量に応じて前記ファンの回転数を変更するファン制御手段と、前記給気通路又は前記排気通路に流れる空気の流量を把握する空気流量把握手段と、前記ファンの回転数に応じて前記給気通路又は排気通路の閉塞の有無を検知するための閉塞判定値を設定する閉塞判定値設定手段と、前記空気量把握手段による空気の流量の把握値が前記閉塞判定値以下となったときに前記給気通路又は前記排気通路が閉塞状態にあると判断する閉塞検知手段と、該閉塞検知手段により前記給気通路又は前記排気通路が閉塞状態にあると判断されたときに前記バーナの燃焼作動を禁止する燃焼禁止手段とを備えた燃焼装置において、
前記空気流量把握手段による空気の流量の把握値を複数個取得し、該複数個の把握値を平均した平均把握値を算出する平均把握値算出手段と、該平均把握値算出手段が前記複数個の把握値を取得する際に、該平均把握値算出手段が各把握値を取得する時の前記閉塞判定値を取得し、取得した複数個の閉塞判定値を平均した平均判定値を算出する平均判定値算出手段を設け、
前記閉塞検知手段は、前記平均把握値が前記平均判定値以下となったときに、前記給気通路又は前記排気通路が閉塞状態にあると判断するようにしたことを特徴とする燃焼装置。
【請求項２】
前記燃焼禁止手段は、前記閉塞検知手段により、所定回数以上連続して前記給気通路又は前記排気通路が閉塞状態にあると判断されたときに、前記バーナの燃焼作動を禁止することを特徴とする請求項１記載の燃焼装置。
【請求項３】
前記燃焼装置は、室温を検出する温度検出手段と、該温度検出手段の検出温度が所定の目標室温と一致するように前記目標燃焼量を変更する目標燃焼量変更手段とを備えた強制給排気式の暖房機であることを特徴とする請求項１又は２記載の燃焼装置。
【発明の詳細な説明】
【０００１】
【発明の属する技術の分野】
本発明は、バーナの給気通路と排気通路の閉塞検知を行う燃焼装置に関する。
【０００２】
【従来の技術】
例えば強制給排気式のガス温風暖房機において、ファンの回転作動により、屋外に開口した給気口から給気通路を介して燃焼用空気がガスバーナに供給されると共に、該ガスバーナの燃焼により生じる燃焼排ガスが排気通路を介して屋外に開口された排気口から排出されるものが知られている。
【０００３】
かかるガス温風暖房機において、前記給気口や前記排気口に雪が積もった場合や、前記給気通路や前記排気通路内に鳥が巣を作った場合に、前記給気通路と前記排気通路に流れる空気の流量が制限される、いわゆる閉塞状態となる。このような閉塞状態が生じると、前記送風ファンの作動により前記給気通路を介してガスバーナに供給される燃焼用空気の流量が減少する。その結果、ガスバーナの燃焼用空気が不足することとなってガスバーナが不完全燃焼状態となる。
【０００４】
そこで、前記給気通路又は前記排気通路の閉塞の有無の検知を行い、前記給気通路又は前記排気通路が閉塞状態となったときは、バーナの燃焼を禁止するようにした燃焼装置が知られている。かかる燃焼装置においては、給気通路又は排気通路に流れる空気の流量を把握する空気流量把握手段が設けられ、前記ファンを所定回転数で作動させた状態で、前記空気流量把握手段による空気の流量の把握値が所定の閉塞判定値以下となったときに、前記給気通路又は前記排気通路が閉塞状態にあると判断していた。
【０００５】
しかし、前記給気通路や前記排気通路に流れる空気の流量は、屋外から流入する風の影響等により変動する場合がある。そして、このように前記給気通路や前記排気通路に流れる空気の流量が閉塞以外の要因によって変動すると、前記給気通路又は前記排気通路の閉塞の有無を精度良く検知することができないという不都合があった。
【０００６】
【発明が解決しようとする課題】
本発明は、上記背景を鑑みてなされたものであり、給気通路と排気通路の閉塞の有無を精度良く検知することができる燃焼装置を提供することを目的とする。
【０００７】
【課題を解決するための手段】
本発明は上記目的を達成するためになされたものであり、バーナと、該バーナに燃焼用空気を供給する給気通路と、該バーナの燃焼排気を排出する排気通路と、該給気通路と該排気通路に空気流を生じさせるファンと、前記バーナの目標燃焼量に応じて前記ファンの回転数を変更するファン制御手段と、前記給気通路又は前記排気通路に流れる空気の流量を把握する空気流量把握手段と、前記ファンの回転数に応じて前記給気通路又は排気通路の閉塞の有無を検知するための閉塞判定値を設定する閉塞判定値設定手段と、前記空気量把握手段による空気の流量の把握値が前記閉塞判定値以下となったときに前記給気通路又は前記排気通路が閉塞状態にあると判断する閉塞検知手段と、該閉塞検知手段により前記給気通路又は前記排気通路が閉塞状態にあると判断されたときに前記バーナの燃焼作動を禁止する燃焼禁止手段とを備えた燃焼装置の改良に関する。
【０００８】
前記給気通路や前記排気通路に流れる空気の流量は、屋外から流入する風の影響等によって変動する場合がある。そのため、このような風等の影響を減少させて精度良く閉塞の有無を検知するために、前記空気流量把握手段による空気の流量の把握値を複数個取得してこれらを平均した平均把握値を算出し、該平均把握値を前記閉塞判定値と比較して前記給気通路又は前記排気通路の閉塞の有無の検知することが考えられる。
【０００９】
このように、前記空気流量把握手段による空気の流量の把握値を平均した平均把握値を算出する場合、平均する複数の把握値を取得する間にファンの回転数が一定に保たれていれば問題はない。しかし、平均する複数個の把握値を取得する間に、前記ファン制御手段によりファンの回転数が変更された場合には、前記平均把握値と比較するべき前記閉塞判定値を特定することができない。そのため、前記ファンの回転数が変化しているときには、給気通路又は排気通路の閉塞を正確に検知することができない。
【００１０】
そこで、本発明は、前記空気流量把握手段による空気の流量の把握値を複数個取得し、該複数個の把握値を平均した平均把握値を算出する平均把握値算出手段と、該平均把握値算出手段が前記複数個の把握値を取得する際に、該平均把握値算出手段が各把握値を取得する時の前記閉塞判定値を取得し、取得した複数個の閉塞判定値を平均した平均判定値を算出する平均判定値算出手段とを設け、前記閉塞検知手段は、前記平均把握値が前記平均判定値以下となったときに、前記給気通路又は前記排気通路が閉塞状態にあると判断するようにしたことを特徴とする。
【００１１】
かかる本発明によれば、前記平均把握値算出手段は、前記空気量把握手段による空気の流量の把握値を複数個取得して、これらを平均した前記平均把握値を算出する。これにより、上述したように、屋外からの風等の影響を減少させて前記給気通路又は前記排気通路に流れる空気の流量を把握することができる。
【００１２】
また、前記平均把握値算出手段により取得された前記複数個の把握値のそれぞれの把握値が取得された時点の前記閉塞判定値が、前記平均判定値算出手段により取得される。そのため、前記平均判定値算出手段は、前記ファンの回転数の変化を取込んだ形で、前記複数の閉塞判定値から前記平均判定値を算出することができる。したがって、前記平均把握値算出手段により算出された前記平均把握値と、前記平均判定値算出手段により算出された前記平均判定値を用いることで、前記閉塞検知手段は、前記ファンの回転数が変化する場合であっても、前記給気通路又は前記排気通路の閉塞の有無を精度良く検知することができる。
【００１３】
また、屋外からの風の影響等により、前記給気通路又は前記排気通路に流れる空気の流量が瞬間的に減少した場合に、実際には前記給気通路又は排気通路が閉塞状態でないにも拘わらず、前記閉塞検知手段によって、前記給気通路又は前記排気通路が閉塞状態にあると誤検知されるおそれがある。
【００１４】
そこで、前記燃焼禁止手段は、前記閉塞検知手段により、所定回数以上連続して前記給気通路又は前記排気通路が閉塞状態にあると判断されたときに、前記バーナの燃焼作動を禁止することを特徴とする。
【００１５】
本発明によれば、前記誤検知がなされる状態が前記所定回数の閉塞状態の検知が行われる間継続されなければ、前記燃焼禁止手段により前記バーナの燃焼が禁止されることがない。そのため、瞬間的に前記誤検知がなされる状態が生じた場合に、前記燃焼禁止手段により前記バーナの燃焼が禁止されることを防止し、使用者の使い勝手を向上することができる。
【００１６】
また、前記燃焼装置は、室温を検出する温度検出手段と、該温度検出手段の検出温度が所定の目標室温と一致するように前記目標燃焼量を変更する目標燃焼量変更手段とを備えた強制給排気式の暖房機であることを特徴とする。
【００１７】
暖房機においては、前記温度検出手段により検出される室温の変化や、前記目標室温の設定の変更により、前記目標燃焼量変更手段により前記目標燃焼量が変更される頻度が高い。そのため、前記平均把握値算出手段により前記複数個の把握値が取得される間に、前記ファンの回転数が変化する可能性が高い。したがって、前記閉塞検知手段により、前記ファンの回転数の変化を取込んで算出された前記平均判定値を用いて前記給気通路又は前記排気通路の閉塞を検知することが特に有効である。
【００１８】
【発明の実施の形態】
本発明の実施の形態の一例について、図１〜図６を参照して説明する。図１は本発明の燃焼装置である強制給排気式のガス温風暖房機の全体構成図、図２は図１に示したガス温風暖房機の制御ブロック図、図３は図１に示したガス温風暖房機における閉塞検知で使用される閉塞判定値のデータテーブル、図４〜図６は図１に示したガス温風暖房機における閉塞検知の実行フローチャートである。
【００１９】
図１を参照して、本実施の形態のガス温風暖房機は、室内に設置されるハウジング１内に、送風路２と、該送風路２を介して室内空気を対流させる対流ファン３と、送風路２を流れる空気を加熱する加熱手段４とを備えている。
【００２０】
加熱手段４は、バーナ５と、該バーナ５を収容した燃焼室６と、該燃焼室６に連なる熱交換器７とを有する。そして、燃焼室６には、バーナ５に燃焼用空気を供給するための給気通路８が接続されると共に、バーナ５の燃焼排ガスを排出するための排気通路９が熱交換器７を介して接続されている。
【００２１】
また、給気通路８及び排気通路９は、ハウジング１から屋外まで延設され、給気通路８には燃焼ファン１０（本発明のファンに相当する）が設けられている。燃焼ファン１０は、給気通路８内に設けられた回転羽根１１と、該回転羽根１１を回転駆動する燃焼ファンモータ１２と、該燃焼ファンモータ１２の回転数を検出する回転数センサ１３とにより構成されている。そして、燃焼ファン１０が作動することで、給気通路８と排気通路９に空気流が生じ、給気通路８からバーナ５への燃焼用空気の供給と、燃焼室６から排気通路９への燃焼排ガスの排出が行われる。
【００２２】
燃焼室６内のバーナ５は、ハウジング１の外部から配管されたガス供給管１４と接続され、該ガス供給管１４から供給される燃料ガスを給気通路８から供給される燃焼用空気と混合して燃焼させる。また、燃焼室６内には、バーナ５の点火を行うための点火電極１５と、バーナ５の点火の検出や失火の有無を検知するためのフレームロッド１６とが設けられている。
【００２３】
また、給気通路８内には、給気通路８を流れる空気の流量の変化から、給気通路８又は排気通路９の閉塞の有無を検知するため、給気通路８中を流れる空気の流量を絞るオリフィス１７と、該オリフィス１７の上流側の空気圧と下流側の空気圧との差圧を検出する差圧センサ１８とが設けられている。
【００２４】
尚、ガス供給管１４には、第１電磁弁２０，第２電磁弁２１，及びガス比例弁２２が設けられている。
【００２５】
送風路２は、ハウジング１の背面及び前面にそれぞれ吸気口２３と吹出口２４を有し、吸気口２３と吹出口２４の間に熱交換器７を介して形成されている。そして、吸気口２３にはエアフィルタ２５が装着され、吹出口２４には温風の吹出方向を調節するためのルーバ２６が組付けられている。
【００２６】
対流ファン３は、吸気口２３に臨んで送風路２内に設けられた回転羽根２７と、該回転羽根２７を回転駆動する対流ファンモータ２８とにより構成されている。対流ファン３は、回転羽根２７の回転により、室内空気を吸気口２３から送風路２内に取込み、取込んだ空気を熱交換器７を介して吹出口２４から室内に送風する。
【００２７】
尚、送風路２内の吸気口２３に臨む箇所には、該送風路２に対流ファン３により吸気される室内空気の温度を室温として検出する室温センサ２９が設けられている。
【００２８】
図１及び図２を参照して、本実施の形態のガス温風暖房機は、さらに、その暖房運転の制御を行うためのコントローラ３０と、使用者により操作される暖房運転の開始／停止を指示する運転スイッチ３１と室温設定スイッチ３２、及び給気通路８又は排気通路９が閉塞状態にあることを報知する警報ランプ３３を有するリモコン３４とを備えている。
【００２９】
図２に示したように、コントローラ３０は、マイクロコンピュータ４０（以下、マイコン４０という）と、第１電磁弁２０と第２電磁弁２１，ガス比例弁２２，燃焼ファンモータ１２，警報ランプ３３，及び対流ファンモータ２８をそれぞれ駆動する駆動回路４１〜４６とを備えている。
【００３０】
マイコン４０には、運転スイッチ３１からの暖房運転の開始／停止の指示信号、室温設定スイッチ３２からの目標室温の指示信号、フレームロッド１６からのバーナ５の失火の有無等を示す信号、室温センサ２９からの検出室温を示す信号、回転数センサ１３からの燃焼ファンモータ１２の回転数を示す信号、及び差圧センサ１８からのオリフィス１７の上流側の空気圧と下流側の空気圧との検出差圧を示す信号が入力される。
【００３１】
そして、マイコン４０は、これらの信号に基づいて、燃焼制御手段５０，平均差圧算出手段５１，閉塞判定値設定手段５２，平均判定値算出手段５３，閉塞検知手段５４，燃焼禁止手段５５及び前記駆動回路４１〜４６によりガス温風暖房機の暖房運転を実行する。
【００３２】
燃焼制御手段５０は、点火駆動回路４１，電磁弁駆動回路４２，比例弁駆動回路４３，及び燃焼ファン駆動回路４４を介してバーナ５の点火／消火と燃焼量の制御を行う。燃焼制御手段５０は、バーナ５の燃焼量を７段階（１速〜７速）で制御する。そして、燃焼制御手段５０は本発明のファン制御手段の機能を含み、前記１速から７速の燃焼量の設定（本発明の目標燃焼量に相当する）に応じて、燃焼ファン駆動回路４４を介して燃焼ファン１０の回転数を７段階で制御し、また、比例弁駆動回路４３を介してガス比例弁２０の開度を７段階で制御する。
【００３３】
また、平均差圧算出手段５１，閉塞判定値設定手段５２，平均判定値算出手段５３，及び閉塞検知手段５４は、給気通路８又は排気通路９の閉塞の有無を検知するためのものである。
【００３４】
差圧センサ１８は、オリフィス１７と共に本発明の空気流量把握手段を構成する。給気通路８にオリフィス１７を設けた場合、差圧センサ１８により検出されるオリフィス１７の上流側の空気圧と下流側の空気圧との差圧ΔＰは、給気通路８に流れる空気の流量（≒排気通路９に流れる空気の流量）の変動に応じて変化する。そのため、差圧センサ１８により検出される差圧ΔＰから、給気通路８及び排気通路９に流れる空気の流量を把握することができる。この場合、差圧ΔＰが本発明の空気の流量の把握値に相当する。
【００３５】
平均差圧算出手段５１は、屋外からの風等の要因により、給気通路８や排気通路９に流れる空気の流量が変化する場合があることから、このような要因の影響を減少させるため、差圧センサ１８により検出される差圧ΔＰを複数個取得し、これら複数の差圧ΔＰを平均した平均差圧ＡＶ  Ｐ（本発明の平均把握値に相当する）を算出する。
【００３６】
また、閉塞判定値設定手段５２は、給気通路８又は排気通路９の閉塞の有無を判断するための基準値である閉塞判定値Ｊを、燃焼ファン１０の回転数に応じて、図３に示したデータテーブルに従って７段階に設定する。尚、図３に示したデータテーブルは、予め実験等により決定したものである。
【００３７】
また、平均判定値算出手段５３は、平均差圧算出手段５１が差圧ΔＰを取得する時の判定値Ｊを取得し、取得した複数の判定値Ｊを平均した平均判定値ＡＶ  Ｊを算出する。そして、閉塞検知手段５４は、平均差圧ＡＶ  Ｐが平均判定値ＡＶ  Ｊ以下となったときに給気通路８又は排気通路９が閉塞状態にあると判断し、燃焼禁止手段５５は、閉塞検知手段５４により給気通路８又は排気通路９が閉塞状態にあると検知されたときにバーナ５の燃焼作動を禁止する。
【００３８】
このように、給気通路８又は排気通路９が閉塞状態にあると検知されたときにバーナ５の燃焼作動を禁止することで、燃焼室６に供給される空気の流量が減少してバーナ５の燃焼用空気が不足した状態でバーナ５が燃焼し、バーナ５が不完全燃焼状態となることを防止している。尚、給気通路８又は排気通路９の閉塞検知処理、及びバーナ５の燃焼禁止処理の詳細については後述する。
【００３９】
次に、本実施の形態のガス温風暖房機の作動について説明する。ガス温風暖房機への電源供給が開始されると、マイコン４０が作動を開始し、運転スイッチ３１のＯＮ操作待ちとなる。そして、使用者により運転スイッチ３１がＯＮ操作されると、マイコン４０は暖房運転の実行を開始する。マイコン４０は先ず、予め給気通路８と燃焼室６内に燃焼用空気を満たすために燃焼ファンを一定回転数で一定時間作動させるプリパージを行った後、バーナ５の点火処理を行う。
【００４０】
図１を参照して、マイコン４０に備えられた燃焼制御手段５０は、燃焼ファン１０を回転作動させ、点火駆動回路４１を介して点火電極１５に火花放電を生じさせた状態で、電磁弁駆動回路４２を介して第１電磁弁２０と第２電磁弁２１を開弁してバーナ５への燃料ガスの供給を開始することで、バーナ５の点火処理を行う。尚、この点火処理において、マイコン４０は、フレームロッド１６から入力した信号により、バーナ５が着火したか否かを監視し、バーナ５の着火が検知されない場合は、以後の暖房運転の実行を中止する。
【００４１】
バーナ５の着火を検知したときは、マイコン４０は温調制御を開始する。温調制御においては、図２を参照して、マイコン４０は、先ず対流ファン駆動回路４６を介して対流ファンモータ２８を駆動し、対流ファン３の回転作動を開始する。これにより、図１を参照して、室内空気が吸気口２３から送風路２に吸気され、この吸気された空気が熱交換器７で加熱されて、吹出口２４から温風として吹き出される。
【００４２】
このようにバーナ５の燃焼と対流ファン３の作動を開始した後、マイコン４０は、室温設定スイッチ３２により使用者が設定した目標室温と、室温センサ２９による検出室温とが一致するように、燃焼制御手段５０によりバーナ５の燃焼量を上述した７段階（１速〜７速）に切換えると共に、対流ファン駆動回路４６を介して対流ファン３の回転数を制御して吹出口２４からの温風の送風量を制御して温調制御を実行しながら暖房運転を続行する。
【００４３】
また、マイコン４０は、暖房運転の実行中に、給気通路８又は排気通路９の閉塞の有無の検知を行う。以下、図４〜図６のフローチャートを参照してマイコン４０による、給気通路８又は排気通路９の閉塞の有無の検知と、給気通路８又は排気通路９が閉塞状態にあることを検知したときのバーナ５の燃焼禁止処理の実行手順について詳説する。
【００４４】
図４を参照して、ガス温風暖房機への電源供給が開始されると、マイコン４０はＳＴＥＰ１で使用者により運転スイッチがＯＮ操作されることを待ちながら、ＳＴＥＰ２０で、後述するＳＴＥＰ１１で使用される、燃焼ファン１０が停止し、給気通路８及び排気通路９に空気流が生じていないと想定される状態において、差圧センサ１８により検出される差圧ΔＰの平均値であるオフセット値ＪＯＦＦ  を算出するサブルーチンを実行する。
【００４５】
図６は該サブルーチンのフローチャートであり、該サブルーチンの実行が開始されると、マイコン４０はＳＴＥＰ５０でカウンタ変数ＣＮＴ３と演算変数ＪＶ  に初期値として０を代入する。
【００４６】
次のＳＴＥＰ５１で、マイコン４０は差圧センサ１８により検出された差圧ΔＰを取得する。そして、続くＳＴＥＰ５２で、マイコン４０は、取得した差圧ΔＰの値を演算変数ＪＶ  に加算し、ＳＴＥＰ５３でカウンタ変数ＣＮＴ３をカウントアップする。
【００４７】
そして、次のＳＴＥＰ５４でカウンタ変数ＣＮＴ３が８に達していないときは、ＳＴＥＰ６０に分岐して１秒タイマをスタートし、ＳＴＥＰ６１で運転スイッチ３１が操作されることなくＳＴＥＰ６２で１秒タイマがタイムアップしたときに、ＳＴＥＰ６２からＳＴＥＰ５１に進んで再びＳＴＥＰ５１〜ＳＴＥＰ５４の処理を行う。即ち、マイコン４０は１秒毎に差圧センサ１８により検出される差圧ΔＰを取得して、演算変数ＪＶ  に加算する。
【００４８】
ＳＴＥＰ５４でカウンタ変数ＣＮＴ３が８となったとき、即ち差圧ΔＰを８個取得したときに、マイコン４０はＳＴＥＰ５５に進んで、取得した８個の差圧の平均値（ＪＶ  ／８）をオフセット値ＪＯＦＦ  として保持する。そして、マイコン４０は、ＳＴＥＰ５６から図４のＳＴＥＰ１に戻り、運転スイッチ３１がＯＮ操作されればＳＴＥＰ２以降の処理を実行する。尚、オフセット値ＪＯＦＦ  は不揮発性のメモリ（図示しない）に保持され、ガス温風暖房機への電源供給が遮断されても消失しない。
【００４９】
また、図６のＳＴＥＰ６１で使用者により運転スイッチ３１がＯＮ操作されたときは、マイコン４０はサブルーチンの実行を中止してＳＴＥＰ５６に分岐し、ＳＴＥＰ５６から図４のＳＴＥＰ１に戻って、ＳＴＥＰ２以降の処理を実行する。この場合にはオフセット値ＪＯＦＦ  は更新されず、前回の更新時に保持されたオフセット値ＪＯＦＦ  が使用される。
【００５０】
図４のＳＴＥＰ２は、カウンタ変数ＣＮＴ１とＣＮＴ２、及び演算変数ＳＰ  とＳＪ  の初期設定処理であり、マイコン４０はこれらの変数を０とする。続くＳＴＥＰ３〜ＳＴＥＰ１１、及びＳＴＥＰ８から分岐したＳＴＥＰ３０〜ＳＴＥＰ３１は、平均差圧算出手段５１による平均差圧ＡＶ  Ｐの算出処理と、平均判定値算出手段５３による平均判定値ＡＶ  Ｊの算出処理である。
【００５１】
平均差圧算出手段５１は、ＳＴＥＰ３で差圧センサ１８により検出された差圧ΔＰを所得し、ＳＴＥＰ５で該差圧ΔＰを演算変数ＳＰ  に加算する。一方、平均判定値算出手段５３は、ＳＴＥＰ４で閉塞判定値設定手段５２により設定された閉塞判定値Ｊ（燃焼ファン１０の回転数の変化に応じて変更されるオフセット値ＪＯＦＦ  からの変化量）を取得し、ＳＴＥＰ６で該閉塞判定値Ｊを演算変数ＳＪ  に加算する。
【００５２】
このように、平均差圧算出手段５１と平均判定値算出手段５３は、同期して（同じタイミングで）、それぞれ、差圧ΔＰと閉塞判定値Ｊを取得する。そして、ＳＴＥＰ７でカウントアップされるカウンタ変数ＣＮＴ１が、ＳＴＥＰ８で８に達していないときはＳＴＥＰ３０に分岐して１秒タイマをスタートし、ＳＴＥＰ３１で該１秒タイマがタイムアップするのを待って、ＳＴＥＰ３に戻る。そして、再びＳＴＥＰ３〜ＳＴＥＰ８の処理を実行する。
【００５３】
即ち、ＳＴＥＰ８でカウンタ変数ＣＮＴ１が８となるまで、平均差圧算出手段５１と平均判定値算出手段５３は、１秒毎に、同期してそれぞれ８個の差圧ΔＰと閉塞判定値Ｊを取得する。
【００５４】
そして、平均差圧算出手段５１は、次のＳＴＥＰ９で、取得した８個の差圧ΔＰの平均値を平均差圧ＡＶ  Ｐとして算出する。また、平均判定値算出手段５３は、ＳＴＥＰ１０で、取得した８個の閉塞判定値Ｊの平均値に上述したオフセット値ＪＯＦＦ  を加算して平均判定値ＡＶ  Ｊを算出する。
【００５５】
このように、平均差圧算出手段５１による差圧ΔＰと、平均判定値算出手段５３による判定値Ｊの取得を同期して行うことで、８個の差圧ΔＰと閉塞判定値Ｊを取得する間に燃焼ファン１０の回転数が変化した場合であっても、該変化の影響を取込んだ形で平均差圧ＡＶ  Ｐと平均判定値ＡＶ  Ｊが算出される。
【００５６】
そして、次のＳＴＥＰ１２で、閉塞検知手段５４は、平均差圧ＡＶ  Ｐと平均判定値ＡＶ  Ｊとを比較し、平均差圧ＡＶ  Ｐが平均判定値ＡＶ  Ｊ以下となったときに、給気通路８又は排気通路９が閉塞状態にあると判断する。これにより、燃焼ファン１０の回転数が頻繁に変化する場合であっても、給気通路８又は排気通路９の閉塞の有無を精度良く検知することができる。
【００５７】
次のＳＴＥＰ１３〜ＳＴＥＰ１６、及びＳＴＥＰ１４から分岐したＳＴＥＰ４０は、閉塞検知手段５４により、給気通路８又は排気通路９の閉塞の瞬間的な誤検知がなされたときに、バーナ５の燃焼が禁止されてしまうことを防止するための処理である。
【００５８】
燃焼禁止手段５５は、ＳＴＥＰ１２で、閉塞検知手段５４により給気通路８又は排気通路９が閉塞状態にあると判断されたとき（ＡＶ  Ｊ≧ＡＶ  Ｐ）は、図５のＳＴＥＰ１３に進んでカウンタ変数ＣＮＴ２をカウントアップする。
【００５９】
そして、続くＳＴＥＰ１４でカウンタ変数ＣＮＴ２が３に達していないときは、ＳＴＥＰ１４からＳＴＥＰ４０に分岐して、カウンタ変数ＣＮＴ１と演算変数ＳＰ  ，ＳＪ  を０としてＳＴＥＰ３に分岐し、再び給気通路８又は排気通路９の閉塞の有無の検知を行う。
【００６０】
一方、ＳＴＥＰ１２で、閉塞検知手段５４により給気通路８又は排気通路９が閉塞状態でない（ＡＶ  Ｊ＜ＡＶ  Ｐ）と判断されたときには、ＳＴＥＰ１２からＳＴＥＰ２に分岐してカウンタ変数ＣＮＴ２は０となる。そのため、ＳＴＥＰ１４でカウンタ変数ＣＮＴ３が３となるのは、ＳＴＥＰ１２で、閉塞検知手段５４により３回（本発明の所定回数に相当する）連続して給気通路８又は排気通路９が閉塞状態である（ＡＶ  Ｊ≧ＡＶ  Ｐ）と判断された場合である。
【００６１】
そして、燃焼禁止手段５５は、ＳＴＥＰ１４でカウンタ変数ＣＮＴ２が３となったとき、即ち、ＳＴＥＰ１２で、閉塞検知手段５４により３回連続して給気通路８又は排気通路９が閉塞状態にあると判断されたときに、給気通路８又は排気通路９が確実に閉塞状態にあると判断してＳＴＥＰ１５に進み、燃焼制御手段５０に対してバーナ５の燃焼作動を禁止することを指示する。
【００６２】
これにより、バーナ５の点火前であればバーナ５の点火が禁止され、バーナ５が燃焼中であれば、燃焼制御手段５０は第１電磁弁２０と第２電磁弁２１を閉弁して、バーナ５の燃焼を強制的に停止する。そして、次のＳＴＥＰ１６で、マイコン４０はランプ駆動回路４５を介して異常ランプ３３を点灯し、給気通路８又は排気通路９が閉塞状態にあることを使用者に報知する。
【００６３】
このように、閉塞検知手段５４により、３回連続して給気通路８又は排気通路９が閉塞状態にあると判断されたときに、上述した燃焼禁止手段５５によるバーナ５の燃焼禁止と、マイコン４０による異常ランプ３３の点灯を行うようにすることで、屋外からの風の影響等により、瞬間的に給気通路８内を流れる空気の流量が減少した状態となり、ＳＴＥＰ１２で、平均差圧ＡＶ  Ｐが平均判定値ＡＶ  Ｊ以下となった場合に、実際には給気通路８又は排気通路９が閉塞状態でないにも拘わらず、上述したバーナ５の燃焼禁止と異常ランプ３３の点灯が行われることを防止することができる。
【００６４】
尚、本実施の形態においては、オリフィス１７の上流側と下流側に接続する２つの入力ポートを有し、オリフィス１７の上流側の空気圧と下流側の空気圧との差圧ΔＰを検出する差圧センサ１８を用いて本発明の空気流量把握手段を構成したが、オリフィス１７の上流側の空気圧を検出する圧力センサと、オリフィス１７の下流側の空気圧を検出する圧力センサを別個に設け、各センサの検出圧力をマイコン４０に入力して差圧ΔＰを算出するようにしてもよい（この場合には、２個の圧力センサと、オリフィス１７と、マイコン４０の差圧ΔＰの算出部とにより本発明の空気流量把握手段が構成される）。
【００６５】
さらに、本発明の空気流量把握手段の構成はオリフィス１７を用いて空気の流量を把握する構成に限られない。例えば、給気通路８又は排気通路９に設けた風量センサによって本発明の空気流量把握手段を構成し、該風量センサの検出出力を本発明の空気の流量の把握値としてもよく、また、燃焼室６への空気の供給量の変化に応じてバーナ５の燃焼状態が変化することから、フレームロッド１６によって本発明の空気流量把握手段を構成し、フレームロッド１６の検出出力を本発明の空気の流量の把握値としてもよい。
【００６６】
また、本実施の形態では、オリフィス１７を差圧センサ１８を給気通路８に設けたが、これらを排気通路９に設けても良い。
【００６７】
また、本実施の形態では、本発明の燃焼装置の例として強制給排気式のガス温風暖房機を示したが、本発明の燃焼装置はこれに限られず、強制給排気式の給湯器等の他の種類の燃焼装置であってもよい。
【００６８】
また、本実施の形態では、ガスを燃料とするバーナを備えた燃焼装置を示したが、灯油等の他の種類の燃料を使用するバーナを備えた燃焼装置に対しても本発明の適用が可能である。
【図面の簡単な説明】
【図１】強制給排気式のガス温風暖房機の全体構成図。
【図２】図１に示したガス温風暖房機の制御ブロック図。
【図３】閉塞検知で使用される閉塞判定値のデータテーブル。
【図４】閉塞検知の実行フローチャート。
【図５】閉塞検知の実行フローチャート。
【図６】閉塞検知の実行フローチャート。
【符号の説明】
１…ハウジング、２…送風路、３…対流ファン、４…加熱手段、５…バーナ、６…燃焼室、７…熱交換器、８…給気通路、９…排気通路、１０…燃焼ファン、１１…回転羽根、１２…燃焼ファンモータ、１３…回転数センサ、１４…ガス供給管、１５…点火電極、１６…フレームロッド、１７…オリフィス、１８…差圧センサ、２０…第１電磁弁、２１…第２電磁弁、２２…ガス比例弁、２３…吸気口、２４…吹出口、２５…エアフィルタ、２６…ルーバ、２７…回転羽根、２８…対流ファンモータ、２９…室温センサ、３０…コントローラ、３１…運転スイッチ、３２…室温設定スイッチ、３３…警報ランプ、３４…リモコン、４０…マイクロコンピュータ（マイコン）、５０…燃焼制御手段、５１…平均差圧算出手段、５２…閉塞判定値設定手段、５３…平均判定値算出手段、５４…閉塞検知手段、５５…燃焼禁止手段
【図１】
0003574350.tif 000002
【図２】
0003574350.tif 000003
【図３】
0003574350.tif 000004
【図４】
0003574350.tif 000005
【図５】
0003574350.tif 000006
【図６】
0003574350.tif 000007